(57)【要約】【課題】多角的な情報に基づく安否判断を実行でき、人への安否の確認も可能になるインターホンシステム、インターホンを用いた安否確認方法、及び安否確認実行プログラムを提供すること。【解決手段】インターホンシステム１が、人の活動を表す活動情報を含む活動信号であって、親機４１及び住居外インターホン装置の少なくとも一方を介した活動信号に基づくか、又は活動信号の受信の有無に基づいて、人の状態の確認が必要か否かを判定する判定部を備える。また、インターホンシステム１が、判定部が人の状態の確認が必要であると判定すると、人の状態を確認可能な出力を実行するための状態確認信号を出力する出力部と、を備える。判定部は、例えば、各住居に設置された親機４１の制御部や、集合住宅の制御装置９０で構成されることができる。また、出力部は、親機４１の制御部や、親機の出力端子で構成されることができる。【選択図】図１
2019118048.tif 000002
【特許請求の範囲】
【請求項１】
人の活動を表す活動情報を含む活動信号であって、インターホン親機及び住居外インターホン装置の少なくとも一方を介した前記活動信号に基づくか、又は前記活動信号の受信の有無に基づいて、前記人の状態の確認が必要か否かを判定する判定部と、
前記判定部が前記人の状態の確認が必要であると判定すると、前記人の状態を確認可能な出力を実行するための状態確認信号を出力する出力部と、
を備える、インターホンシステム。
【請求項２】
前記活動信号は、前記インターホン親機の操作部を介して入力された入力信号を含む、請求項１に記載のインターホンシステム。
【請求項３】
前記入力信号は、前記インターホン親機以外の機器からの前記インターホン親機を介した呼び出しに応答するために前記操作部を介して入力された応答信号を含む、請求項２に記載のインターホンシステム。
【請求項４】
前記活動信号は、前記人の活動を検知可能な活動検知センサから前記インターホン親機に入力されたセンサ信号を含む、請求項１乃至３のいずれか１つに記載のインターホンシステム。
【請求項５】
前記住居外インターホン装置には、集合住宅のロビーと外部とを区切る共用ゲートよりも前記外部側に設けられ、全ての住宅で共有されるロビーインターホン装置が含まれ、
前記活動信号は、前記共用ゲートを解錠するための信号であって前記ロビーインターホン装置に入力された信号を含む、請求項１乃至４のいずれか１つに記載のインターホンシステム。
【請求項６】
前記出力部が前記状態確認信号を出力した後に１以上の所定条件のうちの少なくとも１つが満たされると、前記人の安否確認が必要であることを表す安否確認信号を１以上の連絡先に出力する、請求項１乃至５のいずれか１つに記載のインターホンシステム。
【請求項７】
前記１以上の所定条件には、第１所定条件と、第２所定条件が含まれ、
前記第１所定条件を満足すると、前記安否確認信号が１以上の連絡先に出力され、
前記第２所定条件を満足すると、前記安否確認信号が前記１以上の連絡先と一致しない１以上の連絡先に出力される、請求項６に記載のインターホンシステム。
【請求項８】
人の活動を表す活動情報を含む活動信号であって、インターホン親機及び住居外インターホン装置の少なくとも一方を介した前記活動信号に基づくか、又は前記活動信号の受信の有無に基づいて、当該人の状態の確認が必要か否かを判定する判定ステップと、
前記判定ステップで前記人の状態の確認が必要であると判定すると、前記人の状態を確認可能な出力を実行させる出力実行ステップと、
を有する安否確認方法。
【請求項９】
人の活動を表す活動情報を含む活動信号であって、インターホン親機及び住居外インターホン装置の少なくとも一方を介した前記活動信号に基づくか、又は前記活動信号の受信の有無に基づいて、当該人の状態の確認が必要か否かを判定する判定処理と、
前記判定処理で前記人の状態の確認が必要であると判定すると、前記人の状態を確認可能な出力を実行させる出力実行処理と、
をコンピュータに実行させる安否確認実行プログラム。
【発明の詳細な説明】
【技術分野】
【０００１】
本開示は、インターホン親機を含むインターホンシステム、インターホンシステムを用いた安否確認方法、及び安否確認実行プログラムに関する。
【背景技術】
【０００２】
従来、インターホンシステムとしては、特許文献１に記載されているものがある。このインターホンシステムは、マンション等の集合住宅に設けられ、ロビーインターホン装置、インターホン親機、応答判定部、及び安否判定部を備える。ロビーインターホン装置は、集合住宅の内部領域を画定する共用ゲートの外側に配置され、全ての住居で共有される。また、インターホン親機は、各住居内に設けられ、ロビーインターホン装置からの呼び出しを報知するスピーカと、呼び出しに対する人の応答を受け付ける応答釦を有する。このインターホンシステムは、応答判定部が、応答釦によって応答が受け付けられたか否かの判定を実行し、安否判定部が、応答判定部による判定結果に基づいて人の安否を判定する。
【先行技術文献】
【特許文献】
【０００３】
【特許文献１】特開２０１６−７２９５３号公報
【発明の概要】
【発明が解決しようとする課題】
【０００４】
上記インターホンシステムでは、呼び出しに対する人の応答動作のみで安否判断を行っており、呼び出しが存在しないと緊急事態を検出する機会がない。よって、手遅れになってしまうおそれが大きくなる。
【０００５】
そこで、本開示の目的は、多角的な情報に基づく安否判断を実行でき、人への安否の確認も可能になるインターホンシステム、インターホンを用いた安否確認方法、及び安否確認実行プログラムを提供することにある。
【課題を解決するための手段】
【０００６】
上記課題を解決するため、本開示のインターホンシステムは、人の活動を表す活動情報を含む活動信号であって、インターホン親機及び住居外インターホン装置の少なくとも一方を介した活動信号に基づくか、又は活動信号の受信の有無に基づいて、人の状態の確認が必要か否かを判定する判定部と、判定部が人の状態の確認が必要であると判定すると、人の状態を確認可能な出力を実行するための状態確認信号を出力する出力部と、を備える。
【０００７】
また、本開示の安否確認方法は、人の活動を表す活動情報を含む活動信号であって、インターホン親機及び住居外インターホン装置の少なくとも一方を介した活動信号に基づくか、又は活動信号の受信の有無に基づいて、当該人の状態の確認が必要か否かを判定する判定ステップと、判定ステップで人の状態の確認が必要であると判定すると、人の状態を確認可能な出力を実行させる出力実行ステップと、を有する。
【０００８】
また、本開示の安否確認実行プログラムは、人の活動を表す活動情報を含む活動信号であって、インターホン親機及び住居外インターホン装置の少なくとも一方を介した活動信号に基づくか、又は活動信号の受信の有無に基づいて、当該人の状態の確認が必要か否かを判定する判定処理と、判定処理で人の状態の確認が必要であると判定すると、人の状態を確認可能な出力を実行させる出力実行処理と、をコンピュータに実行させる。
【発明の効果】
【０００９】
本開示に係る、インターホンシステム、安否確認方法、及び安否確認実行プログラムによれば、多角的な情報に基づく安否判断を実行でき、人への安否の確認も可能になる。
【図面の簡単な説明】
【００１０】
【図１】本開示の一実施形態に係るインターホンシステムの概略構成図である。
【図２】人の安否確認を実行するインターホン親機の制御部の処理手続の一例を示すフローチャートである。
【図３】人の安否確認を実行する親機４１の制御部の処理手続の他の例を示すフローチャートであり、満足する条件に対応する連絡先に信号を出力し、満足する条件によって信号を異なる連絡先に出力する処理手続を行う場合の一例のフローチャートである。
【発明を実施するための形態】
【００１１】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の説明では、インターホンシステム１が、デジタル信号で情報をやり取りする場合について説明する。しかし、インターホンシステムは、アナログ信号で情報をやり取りしてもよい。
【００１２】
図１は、本開示の一実施形態に係るインターホンシステム１の概略構成図である。インターホンシステム１は、例えばマンション等の集合住宅で利用できる。図１に示すように、インターホンシステム１は、共用部システム１０、玄関システム３０、室内システム４０、エネルギーシステム６０、防犯システム７０、通報システム８０、及び制御装置９０を備える。
【００１３】
共用部システム１０は、ロビーインターホン装置１１を備え、ロビーインターホン装置１１は、ロビーインターホン本体１２と、非接触キー制御装置１３を含む。ロビーインターホン装置１１は、住居外インターホン装置に含まれ、集合住宅の内部と外部を区切る共用ゲート１４よりも外部側に設けられて全ての住居で共有される。ロビーインターホン本体１２は、音声を入出力するマイクロホン（図示せず）及びスピーカ（図示せず）と、来訪者を撮像するカメラと、カメラからの映像信号をデジタル変調する映像デジタル変調回路を備える。また、ロビーインターホン本体１２は、音声処理回路（図示せず）と、音声デジタル変復調回路（図示せず）を備える。音声処理回路は、マイクから入力されるアナログ音声信号をデジタル音声信号に変換して出力する一方、受信されて復調されたデジタル音声信号をアナログ音声信号に変換してスピーカから出力する。また、ロビーインターホン本体１２は、操作部を備え、操作部は、住居番号を入力するための入力部と、呼出釦を含む。後述するが、入力部で住居番号を選択した後に呼出釦を操作すると、選択した住居内のインターホン親機４１等が内蔵スピーカを用いて呼出音を出力する。
【００１４】
ロビーインターホン本体１２の周辺には、非接触キー検知部１５が設けられる。非接触キー検知部１５も、共用ゲート１４よりも外部側に設けられる。非接触キー検知部１５は、例えば、ＩＣ（integrated circuit）カードリーダまたはＩＣタグリーダで構成される。非接触キーが非接触キー検知部１５にかざされると、非接触キー検知部１５は、非接触キー内に埋め込まれたＩＣチップの識別コードを読み込む。識別コードは、使用者を特定可能な情報を含む。非接触キー制御装置１３は、情報記憶部を有する。非接触キー制御装置１３は、上記ＩＣリーダを介して読み込まれた識別コードと、情報記憶部に格納された解錠を許可する識別コードを照合する。非接触キー制御装置１３は、照合した識別コードの結果が一致すれば、共用ゲート１４の扉を開閉するドア開閉機構に解除を表す信号を出力し、共用ゲート１４の扉を開く。
【００１５】
共用部システム１０は、制御装置９０、及び玄関システム３０を経由した伝送線Ｌで室内システム４０に接続される。制御装置９０は、集合住宅の共有機器等を統括制御するために設けられ、通報システム８０の通報機８１へ所定の通報先に通報信号を送信させる制御や、図示しないエレベータの昇降制御等を行う。所定の通報先には、例えば管理会社や消防署が含まれる。また、制御装置９０は、管理人室の管理事務室親機９２にも接続される。管理事務室親機９２は、制御装置９０を介してインターホンシステム１の各機器に信号を出力でき、インターホンシステム１の各機器は、制御装置９０を介して管理事務室親機９２へ信号を出力できる。
【００１６】
伝送線Ｌは、共用部システム１０のロビーインターホン装置１１から制御装置９０を介して玄関システム３０の分岐器３１に接続される伝送線Ｌ１と、分岐器３１と室内システム４０のインターホン親機（以後、単に親機という）４１を接続する住居別線Ｌ２を含む。伝送線Ｌとしては、例えば、１対以上のペア線をシース内に含む多対ツイストペアケーブルを好適に採用できる。伝送線Ｌは、ロビーインターホン装置１１と親機４１との間で、ロビーインターホン本体１２のカメラ（図示せず）で撮像された映像信号と音声信号とを搬送波デジタル信号で多重伝送する信号線を含む。また、伝送線Ｌは、ロビーインターホン本体１２の操作部で選択された親機４１を指定する制御信号を伝送する制御線を含む。尚、伝送線Ｌが１対のペア線を含むようにし、１対のペア線で制御信号と映像及び音声デジタル信号とを多重伝送してもよく、制御線を設けなくてもよい。
【００１７】
玄関システム３０の分岐器３１は、制御装置９０からのびる伝送線Ｌを分岐して各住居の玄関システム３０に接続するために設けられる。各住居の親機４１は、適切な設定を行うことで分岐器３１を介して所望の住居の親機４１と信号の送受信を実行可能になる。玄関システムの３０のインターホン子機（以下、単に子機という）３２は、集合住宅の各住居の玄関先に配置される。子機３２は、住居外インターホン装置に含まれる。子機３２は、音声を入出力するマイクロホン（図示せず）及びスピーカ（図示せず）と、来訪者を撮像するカメラ（図示せず）と、カメラからの映像信号をデジタル変調する映像デジタル変調回路を含む。また、子機３２は、音声処理回路（図示せず）と、音声デジタル変復調回路（図示せず）と、送受信回路（図示せず）と、多重分離回路（図示せず）を有する。音声処理回路は、マイクから入力されるアナログ音声信号をデジタル音声信号に変換して出力すると共に、受信されて復調されたデジタル音声信号をアナログ音声信号に変換してスピーカから出力する。音声デジタル変復調回路は、音声処理回路から出力されるデジタル音声信号を適宜な方式でデジタル変調して出力すると共に、受信されたデジタル音声信号を復調する。送受信回路は、親機４１にデジタル音声信号及びデジタル映像信号を送信すると共に、親機４１から送られてくるデジタル音声信号を受信する。多重分離回路は、音声デジタル変復調回路で変調されたデジタル音声信号、及び映像デジタル変調回路で変調されたデジタル映像信号を多重化する。この多重化された信号は、送受信回路から住居別線Ｌ３を介して親機４１に送信される。また、多重分離回路は、送受信回路により受信されるデジタル音声信号を分離して音声デジタル変復調回路へ出力する。子機３２は、呼出釦（図示せず）を有する。子機３２の呼出釦が操作されると、呼出音が、音声処理回路に入力されてスピーカから送出される。
【００１８】
上述のように、親機４１は、住居別線Ｌ３を介して子機３２に接続される。親機４１は、音声を入出力するマイクロホン（図示せず）及びスピーカ（図示せず）を有する。また、親機４１は、送受信回路（図示せず）と、音声処理回路（図示せず）と、音声デジタル変復調回路（図示せず）と、多重分離回路（図示せず）と、映像デジタル復調回路（図示せず）と、モニタ装置（図示せず）を有する。送受信回路は、デジタル音声信号を送信すると共に、ロビーインターホン装置１１及び子機３２から送られてくるデジタル音声信号及びデジタル映像信号を受信する。音声処理回路は、マイクから入力されるアナログ音声信号をデジタル音声信号に変換して出力すると共に、受信されて復調されたデジタル音声信号をアナログ音声信号に変換してスピーカから出力する。音声デジタル変復調回路は、音声処理回路から出力されるデジタル音声信号を適宜な方式でデジタル変調して出力すると共に、受信されたデジタル音声信号を復調する。多重分離回路は、音声デジタル変復調回路で変調されたデジタル音声信号をロビーインターホン装置１１から送信されるデジタル映像信号やデジタル音声信号に対して多重化して送受信回路から送信させる。また、多重分離回路は、送受信回路により受信されたデジタル映像信号を分離する。映像デジタル復調回路は、多重分離回路で分離されたデジタル映像信号から映像信号に復調する。モニタ装置は、復調された映像信号を入力して映像を映し出す。
【００１９】
親機４１は、内部回路を制御するＣＰＵ（図示せず）を有する。ＣＰＵは、制御線とのインタフェースを構成する制御信号送受信回路（図示せず）に接続される。制御信号送受信回路は、ＣＰＵから出力された制御信号を制御線に送出し、制御線から受信した制御信号をＣＰＵに引き渡す。
【００２０】
制御装置９０から送出された制御信号は、制御線に接続される全ての親機４１に伝送される。各親機４１のＣＰＵには、アドレス（例えば、住居番号）が個別に設定されている。例えば、ロビーインターホン装置１１においてアドレスを選択することで、アドレスを指定する制御信号が、制御装置９０から伝送線（制御線）Ｌを介して全ての親機４１に伝送される。親機４１のＣＰＵは、制御信号に含まれるアドレスが自己のアドレスであれば、ロビーインターホン装置１１との間に通信路を確立する。そして、親機４１のＣＰＵは、ロビーインターホン本体１２のカメラにおいて撮像された来訪者の映像を親機４１のモニタ装置に表示させ、スピーカから呼出音を鳴動させる。
【００２１】
室内システム４０は、必要に応じて副親機（モニタ付副親機４２及び通話副親機４３）を含む。モニタ付副親機４２は、伝送線Ｌ４を介して親機４１に接続され、通話副親機４３は、伝送線Ｌ５を介してモニタ付副親機４２に接続される。親機４１は、ロビーインターホン装置１１や子機３２と、副親機４２,４３との間の通信を中継する機能を有し、人は、副親機４２,４３を用いて、ロビーインターホン本体１２や子機３２を使用する来訪者との間で通話できる。
【００２２】
モニタ付副親機４２は、例えば、音声回路（図示せず）と、映像回路（図示せず）と、第１フィルタ及び第２フィルタ（図示せず）を含む。モニタ付副親機４２と親機４１を接続する伝送線Ｌ４は、２線の信号線からなる。音声信号と、映像信号と、副親機を制御するための制御信号は、周波数多重化が実行され、伝送線Ｌ４を伝送する。モニタ付副親機４２と通話副親機４３とを接続する伝送線Ｌ５も、２線の信号線からなる。音声信号と制御信号は、周波数多重化が実行され、伝送線Ｌ５を伝送する。第１フィルタは、音声信号の周波数帯域を通過周波数帯域とするバンドパスフィルタからなる。また、第２フィルタは、映像信号の周波数帯域を通過周波数帯域とするバンドパスフィルタからなる。
【００２３】
音声回路は、通話のためのスピーカ（図示せず）とマイク（図示せず）を備え、マイクによって電気信号に変換された音声信号を親機４１に送信し、親機４１から自機に送信された音声信号をスピーカから送出する。音声回路は、第１フィルタを介して親機４１に接続されるとともに、別の第１フィルタを介して通話副親機４３に接続される。映像回路は、例えば液晶ディスプレイからなるモニタ（図示せず）を含み、親機４１から送信された映像信号を元に、ロビーインターホン本体１２や子機３２のカメラで撮影された映像をモニタに表示させる。映像回路は、例えば、第２フィルタを介して親機４１に接続される。
【００２４】
通話副親機４３は、音声回路（図示せず）を含む。上述のように、伝送線Ｌ５には音声信号と制御信号が周波数多重化されて伝送される。該音声回路は、通話のためのスピーカ（図示せず）とマイク（図示せず）を備え、伝送線Ｌ５を介して入力された音声信号をスピーカから出力し、マイクに入力された音声を電気信号に変換して得た音声信号を伝送線Ｌ５に送出する。
【００２５】
例えば、来訪者がロビーインターホン装置１１を用いて呼出操作を行うと、ロビーインターホン装置１１が、呼出信号を親機４１へ送信すると共にカメラからの映像信号を親機４１へ送信する。親機４１は、呼出信号と映像信号を受信すると、呼出音をスピーカ（図示せず）から出力させるとともに、モニタにカメラで撮影された映像を表示させる。親機４１は、更に、伝送線Ｌ４を介してモニタ付副親機４２に呼出信号及び映像信号を送信し、モニタ付副親機４２は、呼出音をスピーカから出力させると共に、モニタに映像信号を表示させる。また、モニタ付副親機４２は、親機４１から受信した呼出音を通話副親機４３に送信し、通話副親機４３は、呼出音をスピーカから出力する。人が呼出音を聞いて応答することに決めた場合、人は親機４１又は副親機４２,４３を用いて応答操作を行う。応答操作が行われると、人が応答操作を行った親機４１又は副親機（モニタ付副親機４２及び通話副親機４３）と、ロビーインターホン本体１２との間で通話路が形成され、人と来訪者が、インターホンシステム１を利用した通話を実行可能になる。
【００２６】
詳述しないが、親機４１は、モニタ付副親機４２、アダプタ４５と、無線ＬＡＮルータ４６を介して携帯機器、例えば、携帯電話やタブレット等と信号のやり取りを実行可能になっている。アダプタ４５は、例えば、親機４１又は副親機４２,４３間の通信で用いられる通信規格の信号と、携帯機器で用いられる通信規格の信号の変換を行う。この通信システムで、人は、ロビーインターホン装置１１又は子機３２からの呼び出しに携帯機器で応答可能になる。
【００２７】
親機４１は、エネルギーシステム６０からの信号を受信可能になっている。詳しくは、エネルギーシステム６０は、電力測定器６１、ガスメータ６２、水道メータ６３、及び計測ボックス６４を含む。電力測定器６１は、例えば各住居の分電盤に設置されて住居での消費電力を検出し、所定の電力量が消費される度に所定のパルス信号を計測ボックス６４に出力する。また、ガスメータ６２は、例えば所定のガス量が消費される度に所定のパルス信号を計測ボックス６４に出力し、水道メータ６３は、例えば所定量の水が消費される度に所定のパルス信号を計測ボックス６４に出力する。計測ボックス６４は、電力測定器６１、ガスメータ６２、及び水道メータ６３の夫々からのパルス信号を計測し、電力を表す信号と、消費ガス量を表す信号と、消費した水量を表す信号を親機４１に出力する。親機４１は、消費電力、消費ガス量、及び消費水量を表示部に表示させる操作部を有する。人は、該操作部を操作することで、消費電力、消費ガス量、及び消費水量を認識でき、電力料金、ガス料金、水道料金を認識できる。
【００２８】
親機４１は、更に防犯システム７０からの信号を受信可能になっており、通報システム８０へ信号を出力可能になっている。詳しくは、防犯システム７０は、例えば、玄関防犯センサ７１と、窓防犯センサ７２を含む。玄関防犯センサ７１及び窓防犯センサ７２の夫々は、例えばスイッチを含むマグネットセンサで構成される。玄関防犯センサ７１は、玄関扉周辺に設置される。玄関扉が開くと玄関防犯センサ７１のスイッチが磁力でオンになり、玄関扉が開いたことを表す信号が親機４１に出力される。また、窓防犯センサ７２は、窓周辺に設置される。窓が開くと窓防犯センサ７２のスイッチがオンになり、窓が開いたことを表す信号が親機４１に出力される。
【００２９】
親機４１は、留守設定を登録できる操作部（図示せず）を含む。留守設定がされている状態で、親機４１が防犯センサ７１,７２からの信号で玄関や窓が開いたと認識すると不特定者の住居への侵入を表す異常信号が、親機４１から制御装置９０を介して通報機８１に伝送される。通報機８１は、異常信号に含まれる送信先情報に基づいて異常信号を例えば警備会社に出力する。異常信号は、制御装置９０から通報機８１に出力される通報信号に含まれる。
【００３０】
以下、多角的な情報に基づく人の正確な安否判断を実行でき、人への安否の確認も可能になる親機４１の制御部の制御について、図２、及び図３を用いて説明する。図２は、人の安否確認を実行する親機４１の制御部の処理手続の一例を示すフローチャートである。親機４１が適切に設置されて親機４１が稼動すると、制御がスタートし、ステップＳ１で、制御部が、留守モードとなっているか否かを判定する。留守モードは、例えば、親機４１、いずれかの副親機４２,４３、又は下記で説明する警戒操作スイッチ等で設定される。ステップＳ１で肯定判定されると、ステップＳ１以下が繰り返される。他方、ステップＳ１で否定判定されると、ステップＳ２に移行して、親機４１の制御部が、活動信号が第１所定時間継続して受信できない状態が継続した否かを判定する。
【００３１】
第１所定時間は、例えば、７：００時から２４：００時までの間のみに設定されてもよく、例えば３時間に設定されてもよい。そして、２４：００時から７：００時までの間は、活動信号を受信できなくても、ステップＳ２で否定判定され、肯定判定されることがないようにしてもよい。しかし、第１所定時間は、人の好みで自在に設定されればよく、上記設定以外の如何なる設定がされてもよい。
【００３２】
より詳しくは、インターホンシステム１は、親機４１の操作部、子機３２の操作部、副親機４２,４３の操作部、管理人事務室親機９２の操作部、及び携帯機器４７の操作部のうちの１以上の操作部で、安否確認を行う時間帯を事前に設定できるようになっていてもよい。また、図１のステップＳ１の前に、親機４１の制御部が、安否監視を行う時間帯になっているか否かを判定するステップＳ０（図示せず）が存在してもよい。また、親機４１の制御部は、上記事前に設定された時間帯、又は親機４１の記憶部に変更不可能に記憶されている時間帯に基づいて、ステップＳ０の制御を実行してもよい。そして、ステップＳ０で否定判定されると、ステップＳ０以下が繰り返される一方、ステップＳ０で肯定判定されると、ステップＳ１に移行するようにしてもよい。  
【００３３】
また、活動信号とは、人の活動を表す活動情報を含む信号である。活動信号は、ロビーインターホン本体１２、子機３２、管理事務室親機９２、又は他の住居の親機４１や副親機４２,４３等からの呼出に応答するために、親機４１、副親機４２,４３、又は携帯機器４７の各操作部を介して入力された応答信号を含んでもよい。また、応答信号には、共用ゲート１４の扉を解錠する信号や、通話を表す信号等が含まれてもよい。
【００３４】
また、非接触キー検知部１５が非接触キーを検出すると、非接触キーを検出したことを表す信号が、制御装置９０、分岐器３１を介して、その非接触キーを所有する住居の親機４１に出力される。活動信号は、非接触キー検知部１５がＩＣチップを内蔵した非接触キーを検知したことを表す信号を含んでもよい。また、活動信号は、計測ボックス６４からの、電力消費を表す信号や、ガス消費を表す信号や、水消費を表す信号を含んでもよい。また、活動信号は、玄関防犯センサ７１からの玄関扉が開いたことを表す信号と、窓防犯センサ７２からの窓が開いたことを表す信号を含んでもよい。玄関防犯センサ７１及び窓防犯センサ７２は、留守設定がされた際の不特定者の住居への侵入を検出するために設置される。また、親機４１は留守設定を行う操作部を含み、留守設定がされると防犯機能が稼動する。しかし、これらの防犯センサ７１,７２は、留守設定がされていない状態でも玄関や窓が開いたことを表す信号を親機４１に出力する。よって、この信号を活動信号として利用してもよい。
【００３５】
また、活動信号が、親機４１が、電気錠及びスイッチストライクのうちの少なくとも一方から受けた信号を含んでもよい。スイッチストライクとは、錠のデッドボルトの動きを施解錠信号として出力（無電圧接点出力）するものである。また、活動信号が、警戒操作キースイッチからの信号を含んでもよい。警戒操作キースイッチは、人が玄関を出て施錠した後に家屋を防犯警戒状態にセットするために用いるものである。人は、帰宅時に防犯を解除してから玄関を解除する。親機４１は、警戒操作キースイッチを電気的に接続する端子を有する。警戒操作キースイッチを用いた操作で、防犯警戒のセット・解除を行う。防犯スイッチの操作は、活動の監視の要因にできる。また、防犯スイッチの操作で、在室か外出かを判断できる。また、親機４１が制御装置９０から受けた宅配ロッカー又は宅配ボックスの情報を、安否情報をして利用してもよい。すなわち、親機４１が、制御装置９０から、宅配ロッカー又は宅配ボックスの着荷状態が滞留し続けていることを表す信号を受けている時間は、活動信号を受けていない時間として判定できる。また、親機４１が制御装置９０から受けた信号であって、宅配ロッカー又は宅配ボックスの着荷状態が解消されたことを表す信号を、活動信号として利用してもよい。
【００３６】
説明をフローの手順に戻して、ステップＳ２で否定判定されると、ステップＳ１以下が繰り返される他方、ステップＳ２で肯定判定されると、ステップＳ３に移行する。ステップＳ３では、安否の入力を催促する音声が、親機４１及び全ての副親機４２,４３のスピーカから出力される。続いて、ステップＳ４では、親機４１の制御部が、第２所定時間応答がない事と、各機４１,４２,４３を用いた助けが欲しい旨の操作がある事のうちの少なくとも一方を満足するか否かを判定する。ここで、第２所定時間は、例えば、１０分以内の時間に設定できるが、１０分よりも長い時間に設定されてもよい。ステップＳ４で否定判定されるとステップＳ１以下が繰り返される。例えば、人が、大丈夫である旨、返答した場合、ステップＳ４で否定判定される。安否の入力を催促する出力を各機４１,４２,４３のスピーカに実行させる制御信号は、状態確認信号を構成する。また、親機４１においてスピーカの出力を制御する制御部、及び親機４１における伝送線Ｌ４への信号の送信部（伝送線Ｌ４への接続端）は、状態確認信号を出力する出力部を構成する。
【００３７】
他方、ステップＳ４で肯定判定されると、ステップＳ５に移行する。ステップＳ５では、人の安否確認が必要であることを表す安否確認信号が、管理事務室親機９２に出力されると共に、当該人の親族の携帯機器へ通報機８１を介して出力され、その後、制御がエンドになる。
【００３８】
図３は、人の安否確認を実行する親機４１の制御部の処理手続の他の例を示すフローチャートであり、満足する条件に対応する連絡先に信号を出力し、満足する条件によって信号を異なる連絡先に出力する処理手続を行う場合の一例のフローチャートである。
【００３９】
親機４１が適切に設置されて親機４１が稼動すると、制御がスタートし、ステップＳ１１で、制御部が、留守モードとなっているか否かを判定する。留守モードは、例えば、親機４１、いずれかの副親機４２,４３、又は警戒操作スイッチ等で設定される。ステップＳ１１で肯定判定されると、ステップＳ１１以下が繰り返される。他方、ステップＳ１１で否定判定されると、ステップＳ１２に移行して、親機４１の制御部が、異なる２以上の活動情報を含む活動信号を第１所定時間の間継続して受信しなかったか否か判定する。
【００４０】
ステップＳ１２で否定判定されると、ステップＳ１１以下が繰り返される。他方、ステップＳ１２で肯定判定されると、ステップＳ１３に移行する。ステップＳ１３では、安否の入力を催促する音声が、親機４１及び全ての副親機４２,４３のスピーカから出力されると共に、安否の入力を催促することを表す信号が携帯機器４７に送信される。安否の入力を催促する出力を各機４１,４２,４３のスピーカに実行させる制御信号と、携帯機器４７に送信され、安否入力を催促する信号は、状態確認信号を構成する。また、親機４１においてスピーカの出力を制御する制御部、及び親機４１における伝送線Ｌ４への信号の送信部（伝送線Ｌ４への接続端子）は、状態確認信号を出力する出力部を構成する。そして、その後、ステップＳ１４に移行する。ステップＳ１４では、親機４１、副親機４２,４３、及び携帯機器４７のうちの少なくとも１つを用いた助けが欲しい旨の操作があったか否かを判定する。
【００４１】
ステップＳ１４で肯定判定されるとステップＳ１５に移行し、親機４１の制御部が、制御装置９０を介して管理事務室親機９２に人の救出を表す救出信号を送信すると共に、制御装置９０及び通報機８１を介して、管理会社、親族の携帯機器、及び消防署に人の救出を表す救出信号を送信する。
【００４２】
他方、ステップＳ１４で否定判定されるとステップＳ１６に移行し、第２所定時間応答がないか否かが判定される。ここで、第２所定時間は、例えば、１０分以内の時間に設定できるが、１０分よりも長い時間に設定されてもよい。ステップＳ１６で否定判定されるとステップＳ１１以下が繰り返される。例えば、人が、大丈夫である旨、返答した場合、ステップＳ１６で否定判定される。他方、ステップＳ１６で肯定判定されると、ステップＳ１７に移行する。ステップＳ１７では、人の安否確認が必要であることを表す安否確認信号が、管理事務室親機９２に出力されると共に、当該人の親族の携帯機器へ通報機８１を介して出力され、その後、制御がエンドになる。
【００４３】
なお、図２及び図３に示す制御フローの例では、ステップＳ１,Ｓ１１で、留守モードに設定されているか否かが判定され、ステップＳ１,Ｓ１１で肯定判定されると、ステップＳ１,Ｓ１１以下が繰り返される。その結果、留守モードとなっている場合には、安否確認のアラートを実行しないようになっている。しかし、制御部は、必ずしも、留守モードに設定されているか否かを判定しなくてもよく、ステップＳ１,Ｓ１１を省略してもよい。但し、この場合、ステップＳ２,Ｓ１２における第１所定時間を長く設定すると好ましい。
【００４４】
以上、インターホンシステム１は、活動信号に基づくか、又は活動信号の受信の有無に基づいて、上記人の状態の確認が必要か否かを判定する判定部を備える。ここで、活動信号は、人の活動を表す活動情報を含む信号であって、親機４１及び住居外インターホン装置の少なくとも一方を介した信号である。また、インターホンシステム１は、判定部が人の状態の確認が必要であると判定すると、人の状態を確認可能な出力を実行するための状態確認信号を出力する出力部を備える。なお、判定部は、例えば、親機４１の制御部で構成される。また、本実施例では、住居外インターホン装置には、ロビーインターホン装置１１と子機３２が含まれる。また、出力部は、例えば、親機４１のスピーカ、及び親機４１における伝送線Ｌ４への信号の送信部（伝送線Ｌ４への接続端子）で構成される。
【００４５】
本構成によれば、インターホンシステム１が、親機４１及びロビーインターホン装置１１の少なくとも一方を介して収集した多角的な情報に基づいて人の安否判断を行う。したがって、安否判断を正確に実行できる。また、インターホンシステム１の判定部が人の状態の確認が必要であると判定すると、出力部が、人の状態を確認可能な状態確認信号を出力する。よって、人が、判定部が下した誤判定を訂正可能になる。よって、安否判断を誤るおそれが小さくなり、通報を受けた親族等に多大な迷惑等がかかるおそれも抑制できる。更には、人の安否確認を行うための専用装置を導入せずに、既存の親機４１を用いて正確な人の安否確認を簡単安価に実行できる。
【００４６】
また、活動信号は、親機４１の操作部を介して入力された入力信号を含んでもよい。
【００４７】
また、その入力信号は、親機４１以外の機器からの親機４１を介した呼び出しに応答するために操作部を介して入力された応答信号を含んでもよい。ここで、親機４１以外の機器には、ロビーインターホン装置１１、子機３２、管理事務室親機９２、及び集合住宅の他の住居に設置された親機４１及び副親機４２,４３、及び人の親族や友人の携帯機器のうちの１以上の機器が含まれてもよい。
【００４８】
また、活動信号は、人の活動を検知可能な活動検知センサから親機４１に入力されたセンサ信号を含んでもよい。ここで、活動検知センサに、防犯センサ７１,７２、電力測定器６１、ガスメータ６２、及び水道メータ６３のうちの少なくとも１つが含まれてもよい。
【００４９】
また、住居外インターホン装置に、集合住宅のロビーと外部とを区切る共用ゲート１４よりも外部側に設けられ、全ての住宅で共有されるロビーインターホン装置１１が含まれてもよい。そして、活動信号が、共用ゲートを解錠するための信号であってロビーインターホン装置１１の非接触キー検知部１５に入力された信号を含んでもよい。
【００５０】
これらの構成によれば、人の活動を簡易な構成で確実に認識でき、人の安全を確実に確認できる。
【００５１】
また、出力部が状態確認信号を出力した後に１以上の所定条件のうちの少なくとも１つが満たされると、人の安否確認が必要であることを表す安否確認信号を１以上の連絡先に出力してもよい。
【００５２】
例えば、図２のフローを例に説明すると、所定条件は、所定時間応答がない事と、各機４１,４２,４３を用いた助けが欲しい旨の操作がある事のうちの少なくとも一方であってもよい。また、１以上の連絡先は、管理事務室親機９２と、人の親族の携帯機器であってもよい。
【００５３】
上記構成によれば、人の安全を確認できないときに、安否確認信号を１以上の連絡先に出力できる。よって、人に何らかの問題が生じたときの早期の対処が可能になる。
【００５４】
また、１以上の所定条件には、第１所定条件と、第２所定条件が含まれてもよい。そして、第１所定条件を満足すると、安否確認信号を１以上の連絡先に出力してもよく、第２所定条件を満足すると、安否確認信号を上記１以上の連絡先と一致しない１以上の連絡先に出力してもよい。
【００５５】
例えば、図３のフローを例に説明すると、第１所定条件は、親機４１、副親機４２,４３、及び携帯機器４７のうちの少なくとも１つを用いた助けが欲しい旨の操作があることでもよい。そして、この場合の１以上の連絡先が、管理事務室親機９２、管理会社、親族の携帯機器、及び消防署であってもよい。また、第２所定条件が、所定時間応答がないことでもよい。そして、この場合の１以上の連絡先が、管理事務室親機９２、及び親族の携帯機器のみであってもよい。
【００５６】
この構成によれば、緊急性の度合に応じて連絡先を変えることができる。よって、非常事態を確認できた場合における人の高い安全性を実現できる。
【００５７】
更には、図３に示す変形例にように、人の第１段階の安否確認を、親機４１の制御部が、異なる２以上の活動情報を含む活動信号を所定時間継続して受信しなかったか否かで判断してもよい。
【００５８】
この構成によれば、１つだけの活動情報だけでは、人の安全を確認しない。したがって、人の第１段階における安全の確認の正確性を上げることができる。
【００５９】
また、本開示のコンピュータを用いて実行する安否確認方法は、活動信号に基づくか、又は活動信号の受信の有無に基づいて、人の状態の確認が必要か否かを判定する判定ステップを含む。ここで、活動信号は、人の活動を表す活動情報を含む活動信号であって、親機４１及び住居外インターホン装置の少なくとも一方を介した信号である。また、安否確認方法は、判定ステップで人の状態の確認が必要であると判定すると、人の状態を確認可能な出力を実行させる出力実行ステップを含む。
【００６０】
この構成によれば、多角的な情報に基づく安否判断を実行でき、人への安否の確認も可能になる。
【００６１】
また、以下に説明する判定処理及び出力実行処理をコンピュータに実行させる安否確認実行プログラムは、人の安否確認で利用できる。ここで、上記判定処理は、人の活動を表す活動情報を含む活動信号であって、親機４１及び住居外インターホン装置の少なくとも一方を介した活動信号に基づくか、又は活動信号の受信の有無に基づいて、当該人の状態の確認が必要か否か判定する処理である。また、上記出力実行処理は、判定処理で人の状態の確認が必要であると判定された場合の処理であり、人の状態を確認可能な出力を実行する処理である。この安否確認実行プログラムを用いると、インターホンシステム１や上記安否確認方法を容易に実現できて好ましい。
【００６２】
尚、本開示は、上記実施形態およびその変形例に限定されるものではなく、本願の特許請求の範囲に記載された事項およびその均等な範囲において種々の改良や変更が可能である。
【００６３】
例えば、活動信号は、上記説明した信号以外の信号を含んでもよい。例えば、親機が、ＨＥＭＳ（Home Energy Management System（ホーム エネルギー マネジメント システム））のモニタを兼ね、ＨＥＭＳと通信で信号をやり取り可能な場合がある。この場合、人は、例えば、親機を操作することで太陽電池の発電量等を確認できる。このような場合、活動信号には、このようなＨＥＭＳに信号を出力する親機の操作が含まれてもよい。
【００６４】
また、集合住宅では、被接触キーを所定箇所にかざすのではなくて、接触キーを所定の箇所に差し込んで回転させることで、共用ゲートを開く場合がある。このような場合、活動信号は、接触キーを所定の箇所に差し込んで回転させる際に生じる信号を含んでもよい。
【００６５】
また、携帯機器に専用のアプリをインストールしておくと、携帯機器の操作で住居ドアの解錠を実行できる。このような場合、活動信号は、この携帯機器の操作に基づく信号を含んでもよい。
【００６６】
また、活動信号は、親機の操作部を介して入力された入力信号を含まなくてもよい。また、活動信号が、親機の操作部を介して入力された入力信号を含み、入力信号が、親機以外の機器からの親機を介した呼び出しに応答するために親機の操作部を介して入力された応答信号を含まなくてもよい。また、活動信号は、上述の複数のセンサ６１,６２,６３,７１,７２のうちの１以上のセンサからの信号を含まなくてもよい。活動信号は、人の活動を検知可能な活動検知センサから親機に入力されたセンサ信号を含まなくてもよい。また、インターホンシステムが集合住宅で用いられている場合において、活動信号は、共用ゲートを解錠するためにロビーインターホン装置の非接触キー検知部及び接触キー検知部の少なくとも一方を介して入力された信号を含まなくてもよい。
【００６７】
また、状態確認信号に基づく出力に、親機４１及び子副親機４２,４３のスピーカによる音声の出力や、携帯機器への信号の送信が含まれる場合について説明した。しかし、状態確認信号に基づく出力が、親機の表示灯の点灯、親機の表示画面による応答の催促、住居内の放送用スピーカによる音声の出力、住居内の表示灯の点灯、及び親機を介さないサーバー経由での住民の携帯機器への応答催促の通知のうちの少なくとも１つを含んでもよい。
【００６８】
また、活動信号に基づくか、又は活動信号の受信の有無に基づいて、人の状態の確認が必要か否かを判定する判定部を、親機４１の制御部で構成する場合について説明した。しかし、当該判定部は、インターホンシステム１における親機４１以外の機器の制御部で構成してもよく、例えば、当該判定部を、制御装置９０又は管理事務室親機９２の制御部で構成してもよい。又は、当該判定部は、インターホンシステムと通信で信号をやり取り可能なクラウド上のサーバーの制御部等で構成されてもよい。
【００６９】
また、インターホンシステム１を、集合住宅で使用する場合について説明した。しかし、インターホンシステムは、サービス付き高齢者住宅、又は介護施設等で使用されてもよい。又は、インターホンシステムは、一戸建ての住居で使用されてもよい。この場合、住居外インターホン装置は、子機（玄関子機）を含む一方、ロビーインターホン装置を含まない。
【００７０】
また、インターホンシステムには、図１との比較で、１以上の機器が省略されてもよく、例えば、インターホンシステム１から、モニタ付副親機４２及び通話副親機４３のうちの少なくとも一方が省略されてもよい。又は、インターホンシステムを、図１に示すインターホンシステム１に１以上の機器を追加して構成してもよい。
【符号の説明】
【００７１】
１  インターホンシステム、  １１  ロビーインターホン装置、  １４  共用ゲート、  ３２  子機、  ４１  親機、  ６１  電力測定器、  ６２  ガスメータ、  ６３  水道メータ、  ７１  玄関防犯センサ、  ７２  窓防犯センサ、  ９２  管理事務室親機。
【図１】
2019118048.tif 000003
【図２】
2019118048.tif 000004
【図３】
2019118048.tif 000005